(57)【要約】【課題】  高電圧発生回路から出力され各ハーネス経路を介して各負荷に供給される各高電圧出力を安定化できる画像形成装置におけるハーネス実装方法を提供すること。【解決手段】  電子写真方式により画像形成を行うためにそれぞれが高電圧を供給されて動作する複数の負荷を備え、高電圧発生回路からの複数の高電圧出力のそれぞれを板金部材上に沿って配線される複数のハーネス経路を介して前記各負荷に供給する画像形成装置におけるハーネス実装方法において、前記複数のハーネス経路のそれぞれを、非導電性材料により構成されると共に複数の溝が互いに距離を置いて同一面上に形成された部材である溝形成部材の各溝に沿わせると共に前記板金部材に対して前記溝が形成された側の面が背向する態様で前記溝形成部材を前記板金部材上に配置することを特徴とする。【選択図】    図４
2006243037.tif 000002
【特許請求の範囲】
【請求項１】
電子写真方式により画像形成を行うためにそれぞれが高電圧を供給されて動作する複数の負荷を備え、高電圧発生回路からの複数の高電圧出力のそれぞれを装置内においてグランドレベルの電位にある導電性構造物である板金部材上に沿って配線される複数のハーネス経路を介して前記各負荷に供給する画像形成装置におけるハーネス実装方法において、
前記複数のハーネス経路のそれぞれを、非導電性材料により構成されると共に複数の溝が互いに距離を置いて同一面上に形成された部材である溝形成部材の各溝に沿わせると共に前記板金部材に対して前記溝が形成された側の面が背向する態様で前記溝形成部材を前記板金部材上に配置することを特徴とするハーネス実装方法。
【請求項２】
電子写真方式により画像形成を行うためにそれぞれが高電圧を供給されて動作する複数の負荷を備え、高電圧発生回路からの複数の高電圧出力のそれぞれを装置内においてグランドレベルの電位にある導電性構造物である板金部材上に沿って配線される複数のハーネス経路を介して前記各負荷に供給する画像形成装置におけるハーネス実装方法において、
前記複数のハーネス経路のそれぞれを、非導電性材料により構成されると共に互いに平行かつ等間隔な複数の溝が同一面上に形成された部材である溝形成部材の各溝に沿わせると共に前記板金部材に対して前記溝が形成された面が背向する態様で前記溝形成部材を前記板金部材上に配置することを特徴とするハーネス実装方法。
【請求項３】
電子写真方式により画像形成を行うためにそれぞれが高電圧を供給されて動作する複数の負荷を備え、高電圧発生回路からの複数の高電圧出力のそれぞれを装置内においてグランドレベルの電位にある導電性構造物である板金部材上に沿って配線される複数のハーネス経路を介して前記各負荷に供給する画像形成装置におけるハーネス実装方法において、
前記複数のハーネス経路のそれぞれに対応して互いに距離を置いて形成された複数の配線パターンを有し前記複数のハーネス経路をそれら複数の配線パターンのそれぞれにより一括して中継する中継基板を備え、前記板金部材に対して前記各配線パターンが一定の距離を確保する態様で前記中継基板を前記板金部材上に配置することを特徴とするハーネス実装方法。
【請求項４】
電子写真方式により画像形成を行うためにそれぞれが高電圧を供給されて動作する複数の負荷を備え、高電圧発生回路からの複数の高電圧出力のそれぞれを装置内においてグランドレベルの電位にある導電性構造物である板金部材上に沿って配線される複数のハーネス経路を介して前記各負荷に供給する画像形成装置におけるハーネス実装方法において、
前記複数のハーネス経路のそれぞれに対応して互いに平行かつ等間隔に形成された複数の配線パターンを有し前記複数のハーネス経路をそれら複数の配線パターンのそれぞれにより一括して中継する中継基板を備え、前記板金部材に対して前記各配線パターンが一定の距離を確保する態様で前記中継基板を前記板金部材上に配置することを特徴とするハーネス実装方法。
【発明の詳細な説明】
【技術分野】
【０００１】
本発明は、複写装置、プリンタ装置、ファクシミリ装置、複合機等に適用可能な画像形成装置におけるハーネス実装方法に関する。
【背景技術】
【０００２】
電子写真方式により画像形成を行う画像形成装置においては、高電圧を必要とする負荷が複数存在する。
【０００３】
具体的には、カラー画像形成対応の画像形成装置の場合には、各色成分（シアン（Ｃ）、マゼンタ（Ｍ）、イエロー（Ｙ）、ブラック（Ｋ）等）毎に配置された感光体表面を一様に帯電させるための各帯電器に対して高電圧を供給する必要がある。また、各色成分に対応した各現像器に対して高電圧を供給する必要がある。また、各色成分に対応した転写器に対して高電圧を供給する必要がある。
【０００４】
そのような、高電圧を必要とする各負荷に対して供給する高電圧電源出力は、装置内においてそれら各負荷が配置される画像形成部から離れた所定の場所に配置された高電圧発生回路から出力される。
【０００５】
そのため、前記高電圧発生回路から前記高電圧を必要とする各負荷に対して高電圧を供給するために、装置内に複数の高電圧供給用のハーネス経路を這いまわす必要がある。
【０００６】
単色画像形成対応の画像形成装置の場合にも、高電圧の供給を要する負荷は複数種類存在するため、高電圧供給用のハーネス経路を複数必要とする。
【０００７】
しかし、装置内に這いまわされる高電圧供給用のハーネス経路は、装置内部の構成物を避けて、装置筐体を構成する板金部材のように、グランド電位にある導電性構造物に沿って配線されることになるため、前記板金部材と各高電圧供給用のハーネス経路との間やハーネス経路相互間に浮遊容量が形成されてしまう。
【０００８】
その浮遊容量を介したリーク電流により各ハーネス経路を介して供給される定電圧値や定電流値に誤差成分が重畳してしまうため、各ハーネス経路を介して供給される電圧値や電流値を一定化するように前記高電圧発生回路側で定電圧制御や低電流制御を行っても、狙いとする電子写真プロセス条件を出せずに、異常画像等の不具合が発生してしまうことがあるという問題点があった。
【０００９】
これは、従来、前記浮遊容量を介したリーク電流の絶対量が多いばかりでなく、リーク電流量が機器ごとにばらつくため、定電圧化や定電流化のためのフィードバック制御がうまく行かなかったためである。
【００１０】
本願発明に関する公知技術としては、特許文献１ないし４を挙げることができる。
【特許文献１】特開平１０−０２０７２４号公報
【特許文献２】特開平０５−２１６３０５号公報
【特許文献３】特許第２８６５１６９号
【特許文献４】特許第２８２９０２２号
【発明の開示】
【発明が解決しようとする課題】
【００１１】
しかし、上記各特許文献記載の技術を含む従来技術では、前記板金部材と前記各ハーネス経路との間に形成される浮遊容量を介したリーク電流により各ハーネス経路を介して供給される定電圧値や定電流値に誤差成分が重畳してしまうため、各ハーネス経路を介して供給される電圧値や電流値を一定化するように前記高電圧発生回路側で定電圧制御や低電流制御を行っても、狙いとする電子写真プロセス条件を出せずに、異常画像等の不具合が発生してしまうことがあるという問題点を解決できなかった。
【００１２】
本発明は係る事情に鑑みてなされたものであり、高電圧発生回路から出力され各ハーネス経路を介して各負荷に供給される各高電圧出力を安定化できる画像形成装置におけるハーネス実装方法を提供することを目的とする。
【課題を解決するための手段】
【００１３】
請求項１に記載の画像形成装置におけるハーネス実装方法は、電子写真方式により画像形成を行うためにそれぞれが高電圧を供給されて動作する複数の負荷を備え、高電圧発生回路からの複数の高電圧出力のそれぞれを装置内においてグランドレベルの電位にある導電性構造物である板金部材上に沿って配線される複数のハーネス経路を介して前記各負荷に供給する画像形成装置におけるハーネス実装方法において、前記複数のハーネス経路のそれぞれを、非導電性材料により構成されると共に複数の溝が互いに距離を置いて同一面上に形成された部材である溝形成部材の各溝に沿わせると共に前記板金部材に対して前記溝が形成された側の面が背向する態様で前記溝形成部材を前記板金部材上に配置することを特徴とする。
【００１４】
請求項２に記載の画像形成装置におけるハーネス実装方法は、電子写真方式により画像形成を行うためにそれぞれが高電圧を供給されて動作する複数の負荷を備え、高電圧発生回路からの複数の高電圧出力のそれぞれを装置内においてグランドレベルの電位にある導電性構造物である板金部材上に沿って配線される複数のハーネス経路を介して前記各負荷に供給する画像形成装置におけるハーネス実装方法において、前記複数のハーネス経路のそれぞれを、非導電性材料により構成されると共に互いに平行かつ等間隔な複数の溝が同一面上に形成された部材である溝形成部材の各溝に沿わせると共に前記板金部材に対して前記溝が形成された面が背向する態様で前記溝形成部材を前記板金部材上に配置することを特徴とする。
【００１５】
請求項３に記載の画像形成装置におけるハーネス実装方法は、電子写真方式により画像形成を行うためにそれぞれが高電圧を供給されて動作する複数の負荷を備え、高電圧発生回路からの複数の高電圧出力のそれぞれを装置内においてグランドレベルの電位にある導電性構造物である板金部材上に沿って配線される複数のハーネス経路を介して前記各負荷に供給する画像形成装置におけるハーネス実装方法において、前記複数のハーネス経路のそれぞれに対応して互いに距離を置いて形成された複数の配線パターンを有し前記複数のハーネス経路をそれら複数の配線パターンのそれぞれにより一括して中継する中継基板を備え、前記板金部材に対して前記各配線パターンが一定の距離を確保する態様で前記中継基板を前記板金部材上に配置することを特徴とする。
【００１６】
請求項４に記載の画像形成装置におけるハーネス実装方法は、電子写真方式により画像形成を行うためにそれぞれが高電圧を供給されて動作する複数の負荷を備え、高電圧発生回路からの複数の高電圧出力のそれぞれを装置内においてグランドレベルの電位にある導電性構造物である板金部材上に沿って配線される複数のハーネス経路を介して前記各負荷に供給する画像形成装置におけるハーネス実装方法において、前記複数のハーネス経路のそれぞれに対応して互いに平行かつ等間隔に形成された複数の配線パターンを有し前記複数のハーネス経路をそれら複数の配線パターンのそれぞれにより一括して中継する中継基板を備え、前記板金部材に対して前記各配線パターンが一定の距離を確保する態様で前記中継基板を前記板金部材上に配置することを特徴とする。
【発明の効果】
【００１７】
請求項１に係る発明によれば、前記各ハーネス経路と前記グランド板金との距離、または／及び、前記各ハーネス経路間の距離が確保されるため、高電圧電流が流れる前記各ハーネス経路と前記板金部材との間や前記各ハーネス経路間に生じる浮遊容量によるリーク電流により定電圧または定電流値に誤差が発生する事を防止することが可能となる効果が得られる。
【００１８】
請求項２に係る発明によれば、  前記各ハーネス経路と前記グランド板金との距離、または／及び、前記各ハーネス経路間の距離が確保されると共に、その確保される距離が一定となるため、高電圧電流が流れる前記各ハーネス経路と前記グランド板金との間や前記各ハーネス経路間に生じる浮遊容量によるリーク電流を一定な値に保つことが可能となり、定電圧または定電流値に誤差が発生する事をいっそう確実に防止することが可能となる効果が得られる。
【００１９】
請求項３に係る発明によれば、前記各ハーネス経路と前記グランド板金との距離、または／及び、前記各ハーネス経路間の距離が確保されるため、高電圧電流が流れる前記各ハーネス経路と前記板金部材との間や前記各ハーネス経路間に生じる浮遊容量によるリーク電流により定電圧または定電流値に誤差が発生する事を防止することが可能となる効果が得られる。
【００２０】
請求項４に係る発明によれば、前記各ハーネス経路と前記グランド板金との距離、または／及び、前記各ハーネス経路間の距離が確保されると共に、その確保される距離が一定となるため、高電圧電流が流れる前記各ハーネス経路と前記グランド板金との間や前記各ハーネス経路間に生じる浮遊容量によるリーク電流を一定な値に保つことが可能となり、定電圧または定電流値に誤差が発生する事をいっそう確実に防止することが可能となる効果が得られる。
【発明を実施するための最良の形態】
【００２１】
以下、添付図面を参照しながら、本発明を実施するための最良の形態について説明する。
【００２２】
図１に、本発明を実施するための最良の形態に係る画像形成装置１を含むシステム構成について示す。
【００２３】
同図において、画像形成装置１は、ＰＳＴＮ２００を介してＰＳＴＮ２００上のファクシミリ装置２０１との間で画データの送受信を行うことができる。また、画像形成装置１は、もしＩＳＤＮ３００とのインターフェースを備えればＩＳＤＮ３００上のファクシミリ装置３０１との間での画データの送受信も可能である（本発明を実施するための最良の形態では備えていない）。また、画像形成装置１は、ＬＡＮ５００に接続され、パケット変換を行うルータ装置５０２を介してインターネット４００に接続され、インターネット４００上のパーソナルコンピュータ４０２との間で電子メールによる画像データの送受信や、インターネット４００上のネットワークファクシミリ装置４０１との電子メールやＩＴＵ−Ｔ勧告Ｔ．３８などに基づくリアルタイムネットワークファクシミリ通信による画データの送受信を行うことができる。また、画像形成装置１は、ＬＡＮ５００上のパーソナルコンピュータ（ＰＣ）５０１ａ、５０１ｂ、５０１ｃ等との間で画データのやりとりを行うことができる。
【００２４】
つまり、画像形成装置１は、公衆回線を介した通常のファクシミリ装置、ネットワークファクシミリ装置、ＰＣ５０１ａ等にとってのスキャナ装置、ＰＣ５０１ａ等にとってのプリンタ装置、複写機等としての機能を複合的に備えたものである。
【００２５】
図２に、画像形成装置１のブロック構成について示す。
【００２６】
同図において、ＣＰＵ２は、ＲＡＭ４を作業領域として使用しつつ、ＲＯＭ３に書き込まれた制御プログラムに基づいて装置各部を制御したり、各種データ処理をしたり、プロトコル制御を行う中央演算処理装置である。
【００２７】
ＲＯＭ３は、ＣＰＵ２が装置各部を制御するための制御プログラムや、各文字コードに対応するフォントデータなどの制御に必要な各種データが記憶されるリードオンリメモリである。
【００２８】
ＲＡＭ４は、前述したようにＣＰＵ２の作業領域として使用されるランダムアクセスメモリである。
【００２９】
ＥＥＰＲＯＭ（電気的に書き換え可能な読み出し専用メモリ）５は、装置動作に必要な各種情報が記憶されると共に、装置の電源がオフされた状態でもその記憶内容を保持するためのメモリであり、バッテリバックアップされたＳＲＡＭ（スタティックＲＡＭ）や磁気ディスク装置への置き換えも可能である。
【００３０】
時計回路６は、現在の日付及び時刻を常に計時しているもので、ＣＰＵ２は、システムバス１４を介して時計回路６を読み出すことで、現在の日時（日付と時刻）を知ることができる。
【００３１】
操作表示部７は、ユーザからの操作入力を受け入れるための各種キーが配設される一方、液晶表示装置等の表示器を備え、ユーザに知らせるべき装置の動作状態や、各種メッセージを表示するものである。
【００３２】
読取部８は、原稿を読み取って画データを得るためのものである。
【００３３】
画像形成部９は、画像データを電子写真方式により記録紙に印刷出力するためのものである。
【００３４】
画像処理部１０は、生の画像データの符号化圧縮、及び、符号化された圧縮データの復号伸張の符号化復号化処理や、２値化処理、変倍処理、縮小拡大処理、画像補正処理、画データを構成する各主走査ラインにおける画素順番の並べ替え処理、送信日時や受信日時の文字列情報などの付加情報の付加処理などの、画像形成装置１において扱う画データに関する各種処理を行う。
【００３５】
ＬＡＮ通信制御部１０は、いわゆるＮＩＣ（Network Interface Card）であり、ＬＡＮ５００に接続され、ＬＡＮプロトコル上でのＣＰＵ２によるＴＣＰ／ＩＰプロトコルのやりとりにより、その上位のプロトコルにより各種情報のやりとりなどを行えるようにするためのものである。
【００３６】
通信制御部１２は、ＮＣＵ部１３を介してＰＳＴＮ２００と接続され、相手側通信端末との通信の制御を行う。その通信制御部１２は、ＮＣＵ部１３を制御し、ＮＣＵ部１３にて検出されたリンギング電圧のパルスの検出や、ＤＴＭＦ信号の検出、トーン信号の検出、送信時の発呼を行う。また、通信制御部１２は、モデムを有しており、相手側通信端末より受信した受信データ（変調されている）を復調したり、逆に、送信時の送信データを変調し送信したりする。具体的には、ＩＴＵ−Ｔ勧告Ｔ．３０に基づくＧ３ファクシミリ制御信号をやりとりするための低速モデム機能能（Ｖ．２１モデム）、及び、主に文書画像データをやりとりするための高速モデム機能である、Ｖ．１７、Ｖ．３３、Ｖ．３４、Ｖ．２９、Ｖ．２７ｔｅｒの各モデム機能を備えている。
【００３７】
ＮＣＵ部１３はＰＳＴＮ２００に接続され、回線の閉結や、呼び出し信号（リンギング）の検出などをおこなう。
【００３８】
電装制御部１４は、本装置各部の電装品のメカコントロール制御全般のインターフェース制御を行うものである。
【００３９】
電源部１５は、ＡＣ入力電源（図示せず）を機器内部で使用するＤＣ電源に変換して、各種電源を出力するものである。
【００４０】
高電圧発生回路１６は、電源部１５からの電力を元に、画像形成部９における電子写真プロセスにおいて必要となる高電圧電源の生成・出力を行うものである。その場合、高電圧出力の種類としては、帯電電圧（帯電器に供給する），現像電圧（現像器に供給する）、転写電圧（転写器に供給する）があり、一部の出力ではＤＣ高電圧成分にＡＣ高電圧成分を重畳させて出力させる。それら各種の高電圧出力は、画像形成部９において形成対象となる各成分（ＣＭＹＫ等）のそれぞれについて必要となるものである。
【００４１】
そのように、高電圧発生回路１６から出力される各高電圧電源出力は、複数のハーネス経路の束である高電圧ハーネス２０を構成する各ハーネス経路を介して画像形成部９内の供給対象負荷に対して供給される。
【００４２】
システムバス１７は、上記各部がデータをやり取りするためのデータバス・アドレスバス・制御バス、割り込み信号ラインなどにより構成される信号ラインである。
【００４３】
図３に、高電圧ハーネス２０からのリーク電流について概念的に示す。
【００４４】
同図において、高電圧発生回路１６からの複数の高電圧出力を、画像形成部９の各負荷に供給する高電圧ハーネス２０は、装置内の導電性構造物である板金部材３０に沿って配線される。そのため、高電圧ハーネス２０と板金部材３０との間には浮遊容量が形成される。
【００４５】
この浮遊容量のために、高電圧ハーネス２０を負荷側へ流れる高電圧電流のＡＣ成分は、リーク電流として高電圧ハーネス２０（を構成する各ハーネス経路）から板金部材３０に対して流れ込む。そのため、板金部材３０へのリーク電流に対する対策をとらないとすると、高電圧発生回路１６から画像形成部９の各負荷に対して必要量の高電圧電流を供給するためには板金部材３０へのリーク電流を見込んだ大きめの出力容量としなければならない。
【００４６】
また、高電圧ハーネス２０と板金部材３０との浮遊容量、つまり、高電圧ハーネス２０と板金部材３０との配置関係が器機ごとに異なると、高電圧発生回路１６における出力高電圧の定電圧化や、定電流化の制御において、制御可能範囲を逸脱してしまう場合があり、画像形成部９内の各負荷に対して供給する高電圧が安定化されず、形成される画像の品質に悪影響を与えるおそれがある。
【００４７】
そこで、本発明を実施するための最良の形態では、高電圧発生回路１６から出力される複数の高電圧出力を画像形成部９の各負荷にそれぞれ供給するためのハーネス経路の束である高電圧ハーネス２０の実装形態を工夫する。
【００４８】
具体的には、図４（ａ）、（ｂ）に示すように、高電圧ハーネス２０を構成する各ハーネス経路２０Ｂ、Ｙ、Ｍ、Ｃ（各色成分に対応した現像器に対する高電圧供給用）を、溝形成部材４０に形成された各溝に沿うように配線する。
【００４９】
溝形成部材４０は、プラスチック等の非導電性材料により構成されると共に複数の溝部４０ｂが互いに距離を置いて同一面上に平行かつ等間隔に形成された板形状の部材である。そして、各溝４０ｂの間には相対的に凸な隔離壁が平行形成されることになり、各溝４０ｂに沿って配線される各ハーネス経路間の距離を確保できると共に間隔を平行で一定に保つことができる。
【００５０】
その溝形成部材４０は、板金部材３０に対して前記溝部４０ｂが形成された側の面が背向する態様で板金部材３０上に配置される。
【００５１】
それにより、高電圧ハーネス２０を構成する各ハーネス経路２０Ｂ、Ｙ、Ｍ、Ｃ相互の距離は確保され、また、その確保された距離は一定に保たれるため、各ハーネス経路間の浮遊容量が低減されるばかりでなく器機によらず一定に保つことができ、また、各ハーネス経路２０Ｂ、Ｙ、Ｍ、Ｃと板金部材３０との距離が確保され、また、その確保された距離は一定に保たれるため、各ハーネス経路２０Ｂ、Ｙ、Ｍ、Ｃ相互間の浮遊容量や板金部材３０との間の浮遊容量を器機によらず低減でき、かつ、ほぼ一定量に安定化させることができ、ひいては、画像形成部９内の供給対象負荷へ供給する高電圧値を器機によらず安定化させることができ、器機によらず常に安定した画質で画像形成を行うことができるようになる。
【００５２】
図４（ａ）、（ｂ）に示す実装形態に代えて、図５（ａ）、（ｂ）に示す実装形態を適用するようにしてもよい。
【００５３】
つまり、図５（ａ）、（ｂ）に示すように、高電圧ハーネス２０を構成する各ハーネス経路２０Ｂ、Ｙ、Ｍ、Ｃ（各色成分に対応した現像器に対する高電圧供給用）を、それら各ハーネス経路のそれぞれに対応して互いに距離を置いて互いに平行かつ等間隔に形成された複数の配線パターン５０Ｂ、Ｙ、Ｍ、Ｃを有し各ハーネス経路２０Ｂ、Ｙ、Ｍ、Ｃをそれら各配線パターン５０Ｂ、Ｙ、Ｍ、Ｃのそれぞれにより一括して中継する中継基板５０を配設すると共に、その中継基板５０を、板金部材３０に対して各配線パターン５０Ｂ、Ｙ、Ｍ、Ｃが一定の距離を確保する態様で板金部材３０上に配置するようにしている。
【００５４】
高電圧ハーネス２０を構成する各ハーネス経路２０Ｂ、Ｙ、Ｍ、Ｃは、コネクタＣＮ_inにより中継基板５０上の各配線パターン５０Ｂ、Ｙ、Ｍ、Ｃに入力され一方、コネクタＣＮ_outにより中継基板５０上の各配線パターン５０Ｂ、Ｙ、Ｍ、Ｃから出力される。また、中継基板５０の厚みにより、中継基板５０上の各配線パターン５０Ｂ、Ｙ、Ｍ、Ｃ（に接続される各ハーネス経路２０Ｂ、Ｙ、Ｍ、Ｃ）と板金部材３０との距離が確保される。
【００５５】
それにより、高電圧ハーネス２０を構成する各ハーネス経路２０Ｂ、Ｙ、Ｍ、Ｃ相互の距離は確保され、また、その確保された距離は一定に保たれるため、各ハーネス経路間の浮遊容量が低減されるばかりでなく器機によらず一定に保つことができ、また、各ハーネス経路２０Ｂ、Ｙ、Ｍ、Ｃと板金部材３０との距離が確保され、また、その確保された距離は一定に保たれるため、各ハーネス経路２０Ｂ、Ｙ、Ｍ、Ｃ相互間の浮遊容量や板金部材３０との間の浮遊容量を器機によらず低減でき、かつ、ほぼ一定量に安定化させることができ、ひいては、画像形成部９内の供給対象負荷へ供給する高電圧値を器機によらず安定化させることができ、器機によらず常に安定した画質で画像形成を行うことができるようになる。
【００５６】
なお、以上本発明を実施するための最良の形態について説明したが、本発明は上記のものに限定されるものではなく、その要旨を逸脱しない範囲で種々変更可能であることはいうまでもない。
【図面の簡単な説明】
【００５７】
【図１】本発明を実施するための最良の形態に係る画像形成装置を含むシステム構成について示す図である。
【図２】本発明を実施するための最良の形態に係る画像形成装置のブロック構成について示す図である。
【図３】高電圧ハーネスからのリーク電流について概念的に示す図である。
【図４】高電圧ハーネスの実装形態例について示す図である。
【図５】高電圧ハーネスの別の実装形態例について示す図である。
【符号の説明】
【００５８】
１  画像形成装置
１６  高電圧発生回路
２０  高電圧ハーネス
３０  板金部材
【図１】
2006243037.tif 000003
【図２】
2006243037.tif 000004
【図３】
2006243037.tif 000005
【図４】
2006243037.tif 000006
【図５】
2006243037.tif 000007